(57)【特許請求の範囲】
【請求項１】
シースハブ（２）を、管状のチューブ接続部（２Ａ）と、管状の止血弁収納部（２Ｂ）の二つの部材に分けて形成し、
前方に前記チューブ接続部（２Ａ）を配置し、後方に前記止血弁収納部（２Ｂ）を配置し、
当該止血弁収納部（２Ｂ）の略中央部に止血弁（３）を配置し、
前記チューブ接続部（２Ａ）と前記止血弁収納部（２Ｂ）の対向する端部に、それぞれ螺子構造またはオスメスのテーパー嵌合構造からなる脱着部（２Ｃ、２Ｄ）を形成して、前記チューブ接続部（２Ａ）と前記止血弁収納部（２Ｂ）を脱着可能な構造に形成し、
前記止血弁収納部（２Ｂ）の後方部（２ＢＢ）外周に螺子部（２Ｎ）を形成し、
前記止血弁収納部（２Ｂ）の後方部（２ＢＢ）に、当該螺子部（２Ｎ）と螺合可能な螺子部（６Ｎ）を有するロック部（６、６Ａ）を装着し、
当該ロック部（６、６Ａ）は、管状で前記止血弁収納部（２Ｂ）と反対側の端部に壁部（６Ｋ）を有し、
当該ロック部（６、６Ａ）の螺子部（６Ｎ）は、前記止血弁収納部（２Ｂ）側の端部内周に、前記止血弁収納部（２Ｂ）の螺子部（２Ｎ）と対向して形成され、
（Ａ１）前記止血弁収納部（２Ｂ）の後方部（２ＢＢ）と前記ロック部（６）の壁部（６Ｋ）の間に、中空の弾性体（５）を配置するか、または
（Ｂ１）前記ロック部（６Ａ）の壁部（６Ｋ）に、前記止血弁収納部（２Ｂ）の後方部（２ＢＢ）方向に向けて、ベンディング部（６Ｂ）を延設し、
前記止血弁（３）と、前記弾性体（５）または前記ベンディング部（６Ｂ）は、相互に密着することなく間隔を置いて配置され、
（Ａ２）前記ロック部（６）を前記止血弁収納部（２Ｂ）の後方部（２ＢＢ）から、前記止血弁収納部（２Ｂ）の前方部方向に向けて締めることによって、前記弾性体（５）を締め付けて、前記シースハブ（２）内に挿入したカテーテルチューブ（９）を、前記弾性体（５）を介して、締めつけて固定できるように形成し、または
（Ｂ２）前記ロック部（６Ａ）を前記止血弁収納部（２Ｂ）の後方部（２ＢＢ）から、前記止血弁収納部（２Ｂ）の前方部方向に向けて締めることによって、前記ベンディング部（６Ｂ）を締め付けて、前記シースハブ（２）内に挿入したカテーテルチューブ（９）を、前記ベンディング部（６Ｂ）を介して、締め付けて固定できるように形成した、
ことを特徴とするシース（１）。
【請求項２】
請求項１に記載のシース（１）を有することを特徴とするイントロデューサーキット。
【発明の詳細な説明】
【０００１】
【発明の属する技術分野】
本発明は、シース及び当該シースとダイレータより構成されるイントロデューサーキットの改良に関する。特にシースハブをチューブ接続部と止血弁収納部の二つの部材に分けて形成し、当該二つの部材を脱着可能な構造に形成したシースに関する。
【０００２】
【従来技術および発明が解決しようとする課題】
心臓、及び消化器の検査や血管の造影に、カテーテルを導入するためにイントロデューサーキットが幅広く使用される。
イントロデューサーキット内のシースが血管内に挿入され、シースを介してガイドワイヤーやカテーテルチューブが血管内に挿入される。またシースのハブ部分にはガイドワイヤー、カテーテルチューブのとの隙間からの血液の漏れを防止するため止血弁が装着されている。止血弁はシリコーンゴム等で作られているが、径の異なるガイドワイヤーとカテーテルを頻繁に操作するため、止血弁が破損することがある。止血弁が破損すると出血が多くなり、手技時間の短縮やシースの交換が必要になっていた。また挿入したカテーテルを血管内の特定に場所で留める場合、シースハブにはカテーテルを固定する機構がないため、カテーテルが動かないように術者が手で止めていた。
【０００３】
例えば特許文献１には、止血弁を後方に装着したシースハブの後端部に、側部に分岐管と後方部に弁体（止血弁）を装着した他の管状体を、脱着可能な構造に形成したカテーテー導入器具の発明が開示されている。
また特許文献２には、止血弁を後方に装着したカテーテル導入装置の前方部に、内部にパッキンを配置したシース取り付け部が装着されている。
しかしながら特許文献１に記載の発明はカテーテルを固定する機構がなく、特許文献２に記載の発明は止血弁を押圧することによって、止血効果を上げる発明であり、止血弁を緩めた状態では、カテーテルを固定できない等の課題が指摘される。
【０００４】
【特許文献１】
特開平１０−２０１８４９号公報（図１から３）
【特許文献２】
特開平１０−６６７３１号公報（図１）
【０００５】
【課題を解決するための手段】
そこで本発明者は以上の課題を解決するために鋭意検討を重ねた結果、次の発明に到達した。
［１］本発明は、シースハブ（２）を、管状のチューブ接続部（２Ａ）と、管状の止血弁収納部（２Ｂ）の二つの部材に分けて形成し、
前方に前記チューブ接続部（２Ａ）を配置し、後方に前記止血弁収納部（２Ｂ）を配置し、
当該止血弁収納部（２Ｂ）の略中央部に止血弁（３）を配置し、
前記チューブ接続部（２Ａ）と前記止血弁収納部（２Ｂ）の対向する端部に、それぞれ螺子構造またはオスメスのテーパー嵌合構造からなる脱着部（２Ｃ、２Ｄ）を形成して、前記チューブ接続部（２Ａ）と前記止血弁収納部（２Ｂ）を脱着可能な構造に形成し、
前記止血弁収納部（２Ｂ）の後方部（２ＢＢ）外周に螺子部（２Ｎ）を形成し、
前記止血弁収納部（２Ｂ）の後方部（２ＢＢ）に、当該螺子部（２Ｎ）と螺合可能な螺子部（６Ｎ）を有するロック部（６、６Ａ）を装着し、
当該ロック部（６、６Ａ）は、管状で前記止血弁収納部（２Ｂ）と反対側の端部に壁部（６Ｋ）を有し、
当該ロック部（６、６Ａ）の螺子部（６Ｎ）は、前記止血弁収納部（２Ｂ）側の端部内周に、前記止血弁収納部（２Ｂ）の螺子部（２Ｎ）と対向して形成され、
（Ａ１）前記止血弁収納部（２Ｂ）の後方部（２ＢＢ）と前記ロック部（６）の壁部（６Ｋ）の間に、中空の弾性体（５）を配置するか、または
（Ｂ１）前記ロック部（６Ａ）の壁部（６Ｋ）に、前記止血弁収納部（２Ｂ）の後方部（２ＢＢ）方向に向けて、ベンディング部（６Ｂ）を延設し、
前記止血弁（３）と、前記弾性体（５）または前記ベンディング部（６Ｂ）は、相互に密着することなく間隔を置いて配置され、
（Ａ２）前記ロック部（６）を前記止血弁収納部（２Ｂ）の後方部（２ＢＢ）から、前記止血弁収納部（２Ｂ）の前方部方向に向けて締めることによって、前記弾性体（５）を締め付けて、前記シースハブ（２）内に挿入したカテーテルチューブ（９）を、前記弾性体（５）を介して、締めつけて固定できるように形成し、または
（Ｂ２）前記ロック部（６Ａ）を前記止血弁収納部（２Ｂ）の後方部（２ＢＢ）から、前記止血弁収納部（２Ｂ）の前方部方向に向けて締めることによって、前記ベンディング部（６Ｂ）を締め付けて、前記シースハブ（２）内に挿入したカテーテルチューブ（９）を、前記ベンディング部（６Ｂ）を介して、締め付けて固定できるように形成した、シース（１）を提供する。
［２］本発明は、［１］に記載のシース（１）を有する、イントロデューサーキットを提供する。
【０００６】
【発明の実施形態】
図１、図２は、本発明のシース１の概略図（図１は分解断面図、図２は組立図）、図３は図１の一部拡大図である。
本発明のシース１は、シースハブ２を管状のチューブ接続部２Ａと管状の止血弁収納部２Ｂの二つの部材に分けて形成し、当該二つの部材を脱着可能な構造に形成している。
前方にチューブ接続部２Ａを配置し、後方に止血弁収納部２Ｂを配置している。
血弁収納部（２Ｂ）の略中央部に止血弁（３）を配置している。
チューブ接続部２Ａと止血弁収納部２Ｂの対向する端部には、それぞれ脱着部２Ｃ、２Ｄを形成している。脱着部２Ｃ、２Ｄとは、チューブ接続部２Ａと止血弁収納部２Ｂが、相互に脱着できる形態であれば何でも良く、図１、２に例示するような、螺子構造［チューブ接続部２Ａの外周（または内周でも可）に形成されるオス螺子、止血弁収納部２Ｂの内周（または外周でも可）に形成されるメス螺子］の他に、オスメスのテーパー嵌合等であっても良い。
【０００７】
さらに、前記シースハブ２は、当該シースハブ２に挿入するカテーテルチューブ８の固定部材４を有している。
チューブの固定部材４とは、図３（Ａ）に例示するように、弾性体５とロック部６よりなり、当該弾性体５とロック部６を止血弁収納部２Ｂの後方に配置し、ロック部６を締めることによってシースハブ２に挿入したカテーテルチューブ８を固定することができる。
またチューブの固定部材４とは、図３（Ｂ）に例示するように、ベンディング部６Ｂを有するロック部６Ａよりなり、当該ロック部６Ａを止血弁収納部２Ｂの後方に配置し、ロック部６Ａを締めることによって挿入したカテーテルチューブ８を固定することができる。
ロック部６、６Ａを付ける場所は、手技の邪魔にならないようにシースハブ２の後方、すなわち止血弁収納部２Ｂの後端が良い。
ロックの方法は最も簡易な螺子方式が良く、図３（Ａ）に例示するように、シリコーンゴム等の弾性体５を介して締め付けてもよく、図３（Ｂ）に例示するように、ベンディング部分６Ｂを締め付けて固定しても良い。カテーテルチューブ８を傷つけないようにするには、シリコーンゴム等の弾性体５を使用するのが望ましい。
さらに詳述すれば、止血弁収納部２Ｂの後方部２ＢＢ外周に螺子部２Ｎを形成し、止血弁収納部の後方部２ＢＢに、当該螺子部２と螺合可能な螺子部６Ｎを有するロック部６、６Ａを装着している。
当該ロック部６、６Ａは、管状で止血弁収納部２Ｂと反対側の端部に壁部６Ｋを有し、当該ロック部６、６Ａの螺子部６Ｎは、止血弁収納部２Ｂ側の端部内周に、止血弁収納部２Ｂの螺子部２Ｎと対向して形成されている。
止血弁３と、弾性体５またはベンディング部６Ｂは、相互に密着することなく間隔を置いて配置される。
さらに詳述すれば、図３（Ａ）に示すように、止血弁収納部２Ｂの後方部２ＢＢとロック部６の壁部６Ｋの間に、中空の弾性体５を配置する。
ロック部６を止血弁収納部２Ｂの後方部２ＢＢから、止血弁収納部２の前方部方向に向けて締めることによって、弾性体５を締め付けて、シースハブ２内に挿入したカテーテルチューブ８を、弾性体５を介して、締めつけて固定できる。
また、図３（Ｂ）に示すように、ロック部６の壁部６Ｋに、止血弁収納部２Ｂの後方部２ＢＢ方向に向けて、ベンディング部６Ｂを延設する。
ロック部６Ａを止血弁収納部２Ｂの後方部２ＢＢから、前記止血弁収納部２Ｂの前方部方向に向けて締めることによって、ベンディング部６Ｂを締め付けて、シースハブ２内に挿入したカテーテルチューブ８を、ベンディング部６Ｂを介して、締め付けて固定できる。
【０００８】
【発明の作用効果】
（１）止血弁が破損した場合交換が可能になるとともに、止血効果が向上し、体内の特定位置でカテーテルを留めることが可能になる。
（２）シースハブをシースチューブ接続部と止血弁収納部に分けることにより止血弁が破損した場合でも、止血弁収納部を交換することによって出血の防止ができ手技を継続できる。
（３）止血弁収納部がカテーテルを固定するロック部分と、止血弁部に分離しているため、ロックを解除した場合でも、止血性を維持したままカテーテルを操作することができる。
（４）カテーテルを固定する場合は、カテーテルとシースが固定できるため、術者が手で固定する必要がなくなる。
（５）止血弁の止血性に加えてロック部でカテーテルチューブを挟むため、止血効果が向上する。
【図面の簡単な説明】
【図１】本発明のシースの一例を示す概略図（分解断面図）
【図２】本発明のシースの一例を示す概略図（組立図）
【図３】チューブ固定部の一例を示す概略図
【符号の説明】
１ シース
２ シースハブ
２Ａ シースチューブ接続部
２Ｂ 止血弁収納部
２ＢＢ 後方部
２Ｃ 脱着部
２Ｄ 脱着部
２Ｎ 螺子部
３ 止血弁
４ チューブ固定部材
５ 弾性体
６、６Ａ ロック部
６Ｂ ベンディング部
６Ｋ 壁部
６Ｎ 螺子部
７ シースチューブ
８ カテーテルチューブ
【図１】
0004331956.tif 000002
【図２】
0004331956.tif 000003
【図３】
0004331956.tif 000004